(57)【要約】【課題】PDPに表示される画像の見た目を再現する。【解決手段】画像処理部１では、ＰＤＰ以外の表示方式の表示装置で画像信号を表示したときに、ＰＤＰ表示装置で表示された画像に見えるようにする、画像信号の処理として、ＲＧＢの順で点灯しているために生ずる動画による色ズレを再現すること、空間方向に適用するディザパターンを再現すること、時間方向に適用するディザパターンを再現すること、画素ピッチ間の空白を再現すること、又は、ストライプ配列を再現することのうちの少なくともひとつが行われる。本発明は、例えば、PDPで表示された画像に見える画像を、LCDに表示する場合に適用できる。【選択図】図１
2008209427.tif 000002
【特許請求の範囲】
【請求項１】
ＰＤＰ(Plasma Display Panel)以外の表示方式の表示装置で画像信号を表示したときに、ＰＤＰ表示装置で表示された画像に見えるように上記画像信号を処理する画像信号処理装置において、
ＲＧＢ(Red,Green,Bule)の順で点灯しているために生ずる動画による色ズレを再現する色ズレ付加手段と、
空間方向に適用するディザパターンを再現する空間ディザ付加手段と、
時間方向に適用するディザパターンを再現する時間ディザ付加手段と、
画素ピッチ間の空白を再現する画素間ピッチ再現手段と、
ストライプ配列を再現するストライプ配列再現手段と
のうちの少なくともひとつを備える
ことを特徴とする画像信号処理装置。
【請求項２】
上記色ズレ付加手段は、
上記画像信号のエッジ部を検出するエッジ部検出手段と、
上記エッジ部の動き量を検出する動き検出手段と、
上記エッジ部からの位置と上記動き量に応じた係数をかけた色を出力する色係数乗算手段と
を備える
ことを特徴とする請求項１に記載の画像信号処理装置。
【請求項３】
上記空間ディザ付加手段は、
上記画像信号の平坦部を抽出する平坦部抽出手段と、
上記平坦部の色は、ディザが見える色かどうかを判定する手段と、
上記平坦部の色はディザが見える色の場合に、上記画像信号に空間ディザパターンを付加する手段と
を備える
ことを特徴とする請求項１に記載の画像信号処理装置。
【請求項４】
上記時間ディザ付加手段は、
上記画像信号の画素の色は、ディザが見える色かどうかを判定する手段と、
ディザが見える色に応じて、上記画像信号を、複数の画像信号に時分割することにより、上記画像信号に時間ディザパターンを付加する手段と
を備える
ことを特徴とする請求項１に記載の画像信号処理装置。
【請求項５】
上記画素間ピッチ再現手段は、
上記画像信号を出力画像サイズに拡大する画像信号拡大手段と、
画素間の空白が存在する部分の輝度を下げる画素間輝度減手段と
を備える
ことを特徴とする請求項１に記載の画像信号処理装置。
【請求項６】
上記ストライプ配列再現手段は、
上記画像信号をＮ倍化し、ストライプ配列に分解して、ストライプ化された画像信号を出力するストライプ化手段と、
上記ストライプ化された画像信号を、出力画像サイズに合わせてリサンプルして出力するリサイズリサンプル手段と
を備える
ことを特徴とする請求項１に記載の画像信号処理装置。
【発明の詳細な説明】
【技術分野】
【０００１】
本発明は、画像信号処理装置に関し、特に、例えば、ＣＲＴ(Cathode Ray Tube)やLCD(Liquid Crystal Display)等の他のデバイスのディスプレイでプラズマディスプレイ(PDP(Plasma Display Panel))の見た目を再現する事を信号処理により可能とする画像信号処理装置に関する。
【背景技術】
【０００２】
PDPでは、例えば、ストライプリブ構造等が採用され（例えば、非特許文献１を参照）、各画素は、R(Red),G(Green),B(Blue)を発光する部分がストライプに配列されて構成される。
【０００３】
【非特許文献１】河村正行著、「よくわかるプラズマテレビ」、電波新聞社
【発明の開示】
【発明が解決しようとする課題】
【０００４】
ところで、PDPに画像がどのように表示されるかを評価する場合に、ＣＲＴやLCDなどのモニタを評価用モニタとして使用すると、PDPとLCD等とでは、表示特性が異なるため、LCDに表示された画像によっては、PDPに表示される（であろう）画像の見た目や画質を評価することが困難であった。
【０００５】
すなわち、評価時にLCDに表示される画像の画質と、実際のPDPでの観賞時にPDPに表示される画像の画質とが必ずしも一致してはいなかった。
【０００６】
本発明は、このような状況に鑑みてなされたものであり、PDP以外の、例えば、LCD等のディスプレイで、PDPの見た目を再現する事を信号処理により可能とすることができるようにするものである。
【課題を解決するための手段】
【０００７】
本発明の一側面は、ＰＤＰ(Plasma Display Panel)以外の表示方式の表示装置で画像信号を表示したときに、ＰＤＰ表示装置で表示された画像に見えるように上記画像信号を処理する画像信号処理装置であり、ＲＧＢ(Red,Green,Bule)の順で点灯しているために生ずる動画による色ズレを再現する色ズレ付加手段と、空間方向に適用するディザパターンを再現する空間ディザ付加手段と、時間方向に適用するディザパターンを再現する時間ディザ付加手段と、画素ピッチ間の空白を再現する画素間ピッチ再現手段と、ストライプ配列を再現するストライプ配列再現手段とのうちの少なくともひとつを備える画像信号処理装置である。
【０００８】
以上のような一側面の画像信号処理装置においては、ＲＧＢの順で点灯しているために生ずる動画による色ズレを再現すること、空間方向に適用するディザパターンを再現すること、時間方向に適用するディザパターンを再現すること、画素ピッチ間の空白を再現すること、又は、ストライプ配列を再現することのうちの少なくともひとつが行われる。
【発明の効果】
【０００９】
本発明の一側面によれば、PDPに表示される画像の見た目を再現することが可能となる。
【発明を実施するための最良の形態】
【００１０】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１１】
本発明の一側面の画像信号処理装置は、
ＰＤＰ(Plasma Display Panel)以外の表示方式の表示装置で画像信号を表示したときに、ＰＤＰ表示装置で表示された画像に見えるように上記画像信号を処理する画像信号処理装置（例えば、図１の画像信号処理装置）において、
ＲＧＢ(Red,Green,Bule)の順で点灯しているために生ずる動画による色ズレを再現する色ズレ付加手段（例えば、図７の画像処理部１）と、
空間方向に適用するディザパターンを再現する空間ディザ付加手段（例えば、図１３の画像処理部１）と、
時間方向に適用するディザパターンを再現する時間ディザ付加手段（例えば、図１６の画像処理部１）と、
画素ピッチ間の空白を再現する画素間ピッチ再現手段（例えば、図１０の画像処理部１）と、
ストライプ配列を再現するストライプ配列再現手段（例えば、図３の画像処理部１）と
のうちの少なくともひとつを備える。
【００１２】
上記色ズレ付加手段には、
上記画像信号のエッジ部を検出するエッジ部検出手段（例えば、図７のエッジ部切り出し回路２３）と、
上記エッジ部の動き量を検出する動き検出手段（例えば、図７の動き検出回路２４）と、
上記エッジ部からの位置と上記動き量に応じた係数をかけた色を出力する色係数乗算手段（例えば、図７の色係数乗算回路２５）と
を設けることができる。
【００１３】
上記空間ディザ付加手段には、
上記画像信号の平坦部を抽出する平坦部抽出手段（例えば、図１３の平坦部抽出回路４１）と、
上記平坦部の色は、ディザが見える色かどうかを判定する手段（例えば、図１３の色比較回路４２）と、
上記平坦部の色はディザが見える色の場合に、上記画像信号に空間ディザパターンを付加する手段（例えば、図１３のディザ付加回路４４）と
を設けることができる。
【００１４】
上記時間ディザ付加手段には、
上記画像信号の画素の色は、ディザが見える色かどうかを判定する手段（例えば、図１６の色比較回路５１）と、
ディザが見える色に応じて、上記画像信号を、複数の画像信号に時分割することにより、上記画像信号に時間ディザパターンを付加する手段（例えば、図１６のディザ付加回路５３）と
を設けることができる。
【００１５】
上記画素間ピッチ再現手段には、
上記画像信号を出力画像サイズに拡大する画像信号拡大手段（例えば、図１０の拡大処理回路３１）と、
画素間の空白が存在する部分の輝度を下げる画素間輝度減手段（例えば、図１０の画素間輝度減回路３２）と
を設けることができる。
【００１６】
上記ストライプ配列再現手段は、
上記画像信号をＮ倍化し、ストライプ配列に分解して、ストライプ化された画像信号を出力するストライプ化手段（例えば、図３の拡大ストライプ化回路１１）と、
上記ストライプ化された画像信号を、出力画像サイズに合わせてリサンプルして出力するリサイズリサンプル手段（例えば、図３のリサイズリサンプル回路１２）と
を設けることができる。
【００１７】
以下、図面を参照して、本発明の実施の形態について説明する。
【００１８】
図１は、本発明を適用した画像信号処理装置の一実施の形態の構成例を示している。
【００１９】
図１において、画像信号処理装置は、画像処理部１と、モニタ２とから構成され、ＰＤＰ以外の表示方式の表示装置であるモニタ２で画像信号を表示したときに、ＰＤＰ表示装置で表示された画像に見えるように、画像処理部１に供給される画像信号を処理して、モニタ２に表示させる。
【００２０】
すなわち、画像処理部１は、そこに供給される画像信号に対して、ＲＧＢ(Red,Green,Bule)の順で点灯しているために生ずる動画による色ズレを再現する色ズレ付加処理、空間方向に適用するディザパターンを再現する空間ディザ付加処理、時間方向に適用するディザパターンを再現する時間ディザ付加処理、画素ピッチ間の空白を再現する画素間ピッチ再現処理、又は、ストライプ配列を再現するストライプ配列再現処理のうちの少なくともひとつを施し、モニタ２に供給する。
【００２１】
モニタ２は、ＰＤＰ以外の表示方式の表示装置、すなわち、例えば、LCDやCRTの表示装置であり、画像処理部１から供給される画像信号に応じて、画像を表示する。モニタ２が、画像処理部１からの画像信号に応じて、画像を表示することにより、モニタ２では、ＰＤＰ表示装置で表示されたならば表示されるであろう画像が表示される。
【００２２】
上述したように、画像処理部１では、色ズレ付加処理、空間ディザ付加処理、時間ディザ付加処理、画素間ピッチ再現処理、又はストライプ配列再現処理のうちの少なくともひとつが行われる。
【００２３】
まず、画像処理部１で行われる、色ズレ付加処理、空間ディザ付加処理、時間ディザ付加処理、画素間ピッチ再現処理、又はストライプ配列再現処理のうちの、ストライプ配列再現処理について説明する。
【００２４】
図２は、ストライプ配列再現処理を説明する図である。
【００２５】
ストライプ配列再現処理では、PDP特有のストライプ配列を再現する。PDPの１画素の表示に出力モニタでは2画素以上を使用する。
【００２６】
ストライプ配列再現処理では、画素値をRGBに分解し、それぞれ縦に並べて表示をする。
【００２７】
2画素など3の等倍でない場合、見かけ上混ざった色を表示する事で同様の再現が可能となる。
【００２８】
これにより、PDP特有のストライプの見た目が液晶モニタなどでも可能となる。
【００２９】
また対象となるパネルによってはRGBの幅が等間隔でないものもあり、それに合わせてRGBの幅を変えることで、より再現度が高まる。
【００３０】
図３は、ストライプ配列再現処理を行う画像処理部１の構成例を示している。
【００３１】
拡大ストライプ化回路１１は、画像処理部１に供給される画像信号をＮ倍化し、すなわち、例えば、３倍化し、ストライプ配列に分解して、ストライプ化された画像信号を出力する。
【００３２】
リサイズリサンプル回路１２は、拡大ストライプ化回路１１が出力する画像信号を、出力画像サイズ（モニタ２が表示する画像のサイズ）に合わせて、リサンプルを行い出力する。
【００３３】
なお、リサイズリサンプル回路１２が出力する画像信号が、モニタ２に供給されて表示される。
【００３４】
図４は、図３の画像処理部１で行われるストライプ配列再現処理を説明するフローチャートである。
【００３５】
ステップＳ１１において、拡大ストライプ化回路１１は、画像信号の１画素を3倍に拡大し、横にRGBを並べた形状に変形し、リサイズリサンプル回路１２に供給して、処理は、ステップＳ１２に進む。
【００３６】
ステップＳ１２では、リサイズリサンプル回路１２が、拡大ストライプ化回路１１からの画像信号を、出力画像サイズに合わせてリサイズし、再サンプリングする処理を行って、処理は、ステップＳ１３に進む。ステップＳ１３では、リサイズリサンプル回路１２が、ステップＳ１２の処理で得られた画像信号を、モニタ２に出力する。
【００３７】
次に、画像処理部１で行われる、色ズレ付加処理、空間ディザ付加処理、時間ディザ付加処理、画素間ピッチ再現処理、又はストライプ配列再現処理のうちの、色ズレ付加処理（動画による色ズレ再現を行う処理）について説明する。
【００３８】
図５は、PDPに表示される画像に生じる色ズレを説明する図である。
【００３９】
PDPにおいて、RGBの点灯時間の違いによって、白色物体が横に移動する場合に特に顕著であるが、その物体を人間が目で追って見ると仮定すると、色がずれて見えるという特性がある。
【００４０】
色ズレ付加処理では、これを液晶パネルなどのモニタ２でも再現する。以下の手順により再現をする。
【００４１】
１．物体境界検出
【００４２】
画像より、エッジ検出などにより物体境界を検出する。特に白色物体などを対象とする。
【００４３】
２．動き量抽出
【００４４】
上記１での手順で求めた物体において、次フレームとの動き量を求める。手法はブロックマッチング法などを用いる。
【００４５】
３．色ズレの付加
【００４６】
再現対象とするPDPのRGB発光特性と、物体の動き量に応じて最適な色ズレを付加してゆく。
【００４７】
色ズレの付加量は、移動量と合わせようとするPDPの発光特性によって決定される。
【００４８】
例えば青(B)の点灯が緑(G)よりも1/3frの時間だけ早く消灯する特性の場合（frはフレーム周期）、エッジ際の画素値は、青色成分を2/3とする。
【００４９】
同様にその横の画素値は、移動量幅分の色ズレを起こすように青成分の減算を減らすことで生成が可能となる。
【００５０】
図６は、青が緑よりも1/3frの時間だけ早く消灯する特性のPDPにおいて、画像に映っている物体の移動量が3画素の場合に生じる色ズレを付加するために、元の画素値に掛ける係数を表す。
【００５１】
図７は、色ズレ付加処理を行う画像処理部１の構成例を示している。
【００５２】
現フレームメモリ２１は、画像処理部１に供給される画像信号を記憶し、現フレームの画像信号として、前フレームメモリ２２、エッジ部切り出し回路２３、及び動き検出回路２４に供給する。
【００５３】
前フレームメモリ２２は、現フレームメモリ２１から供給される現フレームの画像信号を記憶し、１フレーム分の時間だけ遅延して、動き検出回路２４に供給する。したがって、現フレームメモリ２１から動き検出回路２４に対して、現フレームの画像信号が供給されるとき、前フレームメモリ２２から動き検出回路２４に対して、現フレームの１フレーム前の前フレームの画像信号が供給される。
【００５４】
エッジ部切り出し回路２３は、現フレームメモリ２１からの現フレームの画像信号のエッジ部分を検出し、そのエッジ部のエッジ位置を、動き検出回路２４、及び色係数乗算回路２５に供給する。さらに、エッジ部切り出し回路２３は、現フレームメモリ２１からの現フレームの画像信号も、色係数乗算回路２５に供給する。
【００５５】
動き検出回路２４は、エッジ部切り出し回路２３からの指定位置のフレーム間の動き量を算出し、色係数乗算回路２５に出力する。
【００５６】
すなわち、動き検出回路２４は、エッジ部切り出し回路２３からのエッジ位置のエッジ部の動き量を、現フレームメモリ２１からの現フレームの画像信号と、前フレームメモリ２２からの画像信号とを用いて検出し、色係数乗算回路２５に供給する。
【００５７】
色係数乗算回路２５は、指定された（PDPの）発光特性にあわせ、指定位置の動き量に応じた色ズレを付加する係数を生成し、画像に乗算して出力する。
【００５８】
すなわち、色係数乗算回路２５には、PDPの発光特性（表示特性）を表す発光特性パラメータが供給されるようになっている。
【００５９】
色係数乗算回路２５は、発光特性パラメータが表す発光特性、エッジ部切り出し回路２３からのエッジ位置からの位置（画素の位置）、及び、動き検出回路２４からのエッジ部の動き量に応じて、色ズレを生じさせる係数を求め、その係数を、エッジ部切り出し回路２３からの画像信号（の画素値）に乗算して得られる色の画像信号を出力する。そして、色係数乗算回路２５が出力する画像信号が、モニタ２に供給されて表示される。
【００６０】
図８は、図７の画像処理部１で行われる色ズレ付加処理を説明するフローチャートである。
【００６１】
ステップＳ２１において、エッジ部切り出し回路２３は、現フレームメモリ２１からの現フレームの画像信号から、色ズレの起こるエッジ部を検出し、そのエッジ部のエッジ位置を、動き検出回路２４と色係数乗算回路２５に供給するとともに、現フレームの画像信号を、色係数乗算回路２５に供給して、処理は、ステップＳ２２に進む。
【００６２】
ステップＳ２２では、動き検出回路２４が、エッジ部切り出し回路２３からのエッジ位置のエッジ部の動き量を、現フレームメモリ２１からの現フレームの画像信号と、前フレームメモリ２２の画像信号とを用いて検出し、色係数乗算回路２５に供給して、処理は、ステップＳ２３に進む。
【００６３】
ステップＳ２３では、色係数乗算回路２５が、発光特性パラメータが表す発光特性、動き検出回路２４からのエッジ部の動き量、及び、エッジ部切り出し回路２３からのエッジ位置のエッジ部からの位置に応じて、色ズレを生じさせる係数を求め、エッジ部切り出し回路２３からの現フレームの画像信号の各画素の色（画素値）にかけて、その結果得られる色の画像信号を、モニタ２に出力する。
【００６４】
次に、画像処理部１で行われる、色ズレ付加処理、空間ディザ付加処理、時間ディザ付加処理、画素間ピッチ再現処理、又はストライプ配列再現処理のうちの、画素間ピッチ再現処理（同一サイズ再現時の画素ピッチ再現の処理）について説明する。
【００６５】
対象となるPDPのサイズも再現することを狙う場合、DRC(Digital Reality Creation)等の電子ズーム機能でサイズは同等のものを得ることが出来るが、画素ピッチ間の空白も再現することでより見た目を合わせることが可能となる。
【００６６】
ここで、DRCについては、例えば、特開2005-236634号公報や特開2002-223167号公報等に、クラス分類適応処理として記載されている。
【００６７】
例えば、合わせようとするPDPのサイズが2倍であるとする。この場合、2倍電子ズームを用いる事で同サイズに見せることが出来るが、大画面PDP特有の画素間の溝の視覚的効果も付加する事でより再現性が高まる。
【００６８】
2倍の場合、図９に示すような効果を付加すればよい。
【００６９】
図１０は、画素間ピッチ再現処理を行う画像処理部１の構成例を示している。
【００７０】
拡大処理回路３１は、画像処理部１に供給される画像信号を出力画像サイズに拡大し、すなわち、画像の一部を、そこに供給される拡大率に応じて拡大する処理をして、その結果得られる拡大画像を、画素間輝度減回路３２に出力する。
【００７１】
画素間輝度減回路３２は、そこに供給される拡大率に応じて、画素間の溝の存在する位置に対して輝度値を下げる処理をし、すなわち、画素間の空白が存在する部分の輝度を下げるように、拡大処理回路３１からの画像信号を処理し、その処理の結果得られる画像信号を、モニタ２に出力する。
【００７２】
図１１は、図１０の画像処理部１で行われる画素間ピッチ再現処理を説明するフローチャートである。
【００７３】
ステップＳ３１において、拡大処理回路３１は、出力画像サイズに画像を拡大し、画素間輝度減回路３２に供給して、処理は、ステップＳ３２に進む。ステップＳ３２では、画素間輝度減回路３２は、拡大処理回路３１からの画像に対して、想定画素間のある部分の輝度を下げる処理をする。そして、処理は、ステップＳ３２からステップＳ３３に進み、画素間輝度減回路３２は、ステップＳ３２で得られた画像を、モニタ２に出力する。
【００７４】
次に、画像処理部１で行われる、色ズレ付加処理、空間ディザ付加処理、時間ディザ付加処理、画素間ピッチ再現処理、又はストライプ配列再現処理のうちの、空間ディザ付加処理（空間ディザパターン再現の処理）について説明する。
【００７５】
PDPパネルにおいては、色階調を稼ぐためにディザ（編み目状に色を配置し擬似的に階調を増やす）を用いることが多い。
【００７６】
このディザパターンを再現する事でより見た目を合わせることが可能となる。
【００７７】
対象となるＰＤＰパネルによって、ディザが見える色というものが存在する。画面内の色変化の少ない部分において、もしそのディザの見える色にマッチするものであれば、図１２に示すように、ディザを付加する処理を行うことで再現することが可能となる。
【００７８】
図１３は、空間ディザ付加処理を行う画像処理部１の構成例を示している。
【００７９】
平坦部抽出回路４１は、画像処理部１に供給される画像信号の平坦な部分（平坦部）を抽出し、画像信号とともに、色比較回路４２に供給する。
【００８０】
色比較回路４２は、平坦部抽出回路４１からの平坦部の色は、ディザが見える色かどうかを判定する。
【００８１】
すなわち、色比較回路４２は、平坦部抽出回路４１で抽出された平坦部の色と、空間ディザパターンROMに記憶されたルックアップテーブルに登録されている（RGBの値が表す）色と比較し、平坦部の色が、ルックアップテーブルに登録されている色のうちの、後述する空間ディザパターン「なし」に対応付けられている色以外の色である場合には、平坦部の色は、ディザが見える色であると判定する。そして、色比較回路４２は、その判定結果とともに、平坦部抽出回路４１からの画像信号を、ディザ付加回路４４に供給する。
【００８２】
空間ディザパターンROM４３はルックアップテーブルを記憶している。
【００８３】
ここで、図１４は、空間ディザパターンROM４３が記憶しているルックアップテーブルを示している。
【００８４】
ルックアップテーブルでは、各色のRGBの値と、そのRGBの値で表される色がPDPに表示されたときに見えやすい空間的なディザのパターンである空間ディザパターンとが対応付けられている。
【００８５】
なお、ルックアップテーブルにおいて、ディザが見えない色のRGBの値については、空間ディザパターンとして、「なし」（ディザが見えない旨）が登録されている。
【００８６】
また、色比較回路４２（図１３）では、空間ディザパターン「なし」と対応付けられているRGBの値で表される色が、ディザが見える色でないと判定され、それ以外の色が、ディザが見える色であると判定される。
【００８７】
図１３に戻り、空間ディザパターンROM４３は、その記憶しているルックアップテーブルにおいて、色比較回路４２が判定の対象とした、平坦部抽出回路４１からの平坦部の色を表すRGBの値に対応付けられている空間ディザパターンを、ディザ付加回路４４に供給する。
【００８８】
ディザ付加回路４４は、空間ディザパターンROM４３から指定された空間ディザパターンが表す空間的なディザを、色比較回路４２からの画像信号に付加する。
【００８９】
すなわち、ディザ付加回路４４は、色比較回路４２から、平坦部の色はディザが見える色である旨の判定結果が供給された場合に、色比較回路４２からの画像信号の、その平坦部の画像信号に、空間ディザパターンROM４３から供給される空間ディザパターンが表すディザを付加して、モニタ２に出力する。
【００９０】
図１５は、図１３の画像処理部１が行う空間ディザ付加処理を説明するフローチャートである。
【００９１】
ステップＳ４１において、平坦部抽出回路４１は、画像信号から、空間方向で色変化の少ない部分である平坦部を抽出し、画像信号とともに、色比較回路４２に供給して、処理は、ステップＳ４２に進む。
【００９２】
ステップＳ４２では、色比較回路４２が、空間ディザパターンROM４３に記憶されたルックアップテーブルを参照し、平坦部抽出回路４１からの平坦部の色がPDPでディザの見える色かどうかを判定する。
【００９３】
ステップＳ４２において、平坦部抽出回路４１からの平坦部の色がPDPでディザの見える色であると判定された場合、色比較回路４２は、その旨の判定結果と、平坦部抽出回路４１からの画像信号を、ディザ付加回路４４に供給するとともに、空間ディザパターンROM４３が、ルックアップテーブルにおいて、色比較回路４２の判定の対象になった平坦部の色のRGB値と対応付けられている空間ディザパターンを、ディザ付加回路４４に供給して、処理は、ステップＳ４３に進む。
【００９４】
ステップＳ４３では、ディザ付加回路４４は、色比較回路４２からの画像信号の平坦部に対して、指定パターン、すなわち、空間ディザパターンROM４３からの空間ディザパターンが表す空間的なディザを付加して、処理は、ステップＳ４４に進む。ステップＳ４４では、ディザ付加回路４４は、ディザが付加された画像信号を、モニタ２に出力する。
【００９５】
一方、ステップＳ４２において、平坦部抽出回路４１からの平坦部の色がPDPでディザの見える色でないと判定された場合、色比較回路４２は、その旨の判定結果と、平坦部抽出回路４１からの画像信号を、ディザ付加回路４４に供給して、処理は、ステップＳ４５に進む。
【００９６】
ステップＳ４５では、ディザ付加回路４４は、色比較回路４２からの画像信号を、ディザを付加せずに、そのまま、モニタ２に出力する。
【００９７】
次に、画像処理部１で行われる、色ズレ付加処理、空間ディザ付加処理、時間ディザ付加処理、画素間ピッチ再現処理、又はストライプ配列再現処理のうちの、時間ディザ付加処理（時間方向ディザ再現の処理）について説明する。
【００９８】
PDPパネルにおいては、色階調を稼ぐために時間方向にもディザを用いている。これも同様の処理をすることで再現性が高まる。
【００９９】
入力画像１フレームを、色に応じて使用するモニタの応答速度で出力可能な枚数に分割し表示する。分割の仕方は近づけようとするＰＤＰの時間方向を積分して得られるディザパターンを出力する。
【０１００】
図１６は、時間ディザ付加処理を行う画像処理部１の構成例を示している。
【０１０１】
色比較回路５１は、画像処理部１に供給される１フレームの画像信号の各画素の色と、時間ディザパターンROM５２に記憶されたルックアップテーブルに登録されている色（を表すRGBの値）と比較することにより、画像信号の画素の色は、ディザが見える色かどうかを判定する。
【０１０２】
そして、色比較回路５１は、画像信号の色が、ルックアップテーブルに登録されている色である場合には、その色は、ディザが見える色であると判定する。そして、色比較回路５１は、その判定結果とともに、１フレームの画像信号を、ディザ付加回路４４に供給する。
【０１０３】
時間ディザパターンROM５２は、ルックアップテーブルを記憶している。時間ディザパターンROM５２が記憶しているルックアップテーブルには、PDPで表示されたときにディザが見える色（を表すRGBの値）と、その色を、複数のサブフレームで表示するときの各サブフレームの画素値のパターンである時間ディザパターンとが対応付けられて登録されている。
【０１０４】
ここで、サブフレームとは、PDPの表示で使用されるサブフィールドに相当する。
【０１０５】
また、ここでは、上述の複数のサブフレームとは、例えば、３枚のサブフレームとし、モニタ２は、少なくとも、１フレームの間に、３枚のサブフレームを表示することができる性能を有することとする。
【０１０６】
時間ディザパターンROM５２は、その記憶しているルックアップテーブルにおいて、色比較回路５１でディザが見えると判定された色に対応付けられている時間ディザパターン、すなわち、３枚のサブフレームそれぞれの画素値のセットを表す情報を、ディザ付加回路５３に供給する。
【０１０７】
ディザ付加回路５３は、色比較回路５１からのディザが見える旨の判定がされた色について、色比較回路５１からの１フレームの画像信号を、時間ディザパターンROM５２から供給される時間ディザパターンが表す画素値の３枚のサブフレームに分割（時分割）することにより、色比較回路５１からの１フレームの画像信号に時間ディザパターンを付加する。
【０１０８】
すなわち、１フレームの画像信号に時間ディザパターンを付加するとは、１フレームの画像信号を、画素ごとに、時間ディザパターンが表す画素値の複数のサブフレーム（ここでは、３枚のサブフレーム）に分割することを意味する。
【０１０９】
ディザ付加回路５３で時間ディザパターンの付加が行われることにより得られる３枚のサブフレームの画像信号のうちの１つの画像信号は、出力メモリ５４に、他の１つの画像信号は、出力メモリ５５に、残りの１つの画像信号は、出力メモリ５６に、それぞれ供給される。
【０１１０】
出力メモリ５４ないし５６は、それぞれ、ディザ付加回路５３から供給されるサブフレームの画像信号を記憶し、そのサブフレームを表示すべきタイミングで、モニタ２に供給する。
【０１１１】
なお、モニタ２では、サブフレームが、フレーム周期の1/3の周期等の、１フレームの間に３枚のサブフレームを表示することができる周期で表示される。
【０１１２】
ここで、図１６では、サブフレームの画像信号を記憶するメモリとして、３つの出力メモリ５４ないし５６が設けられているが、サブフレームの画像信号を記憶するメモリは、ディザ付加回路５３で時間ディザパターンの付加が行われることにより得られるサブフレームの枚数と同一の個数だけ必要となる。
【０１１３】
例えば、ディザ付加回路５３で時間ディザパターンの付加が行われることにより得られるサブフレームの枚数が、モニタ２で１フレームの間に表示することができる最大の枚数（モニタ２の応答速度）に等しい場合、その枚数に等しい個数のメモリが、サブフレームの画像信号を記憶するメモリとして必要となる。
【０１１４】
図１７は、図１６の画像処理部１が行う時間ディザ付加処理を説明するフローチャートである。
【０１１５】
色比較回路５１は、時間ディザパターンROM５２に記憶されたルックアップテーブルを参照し、画像処理部１に供給される１フレームの画像信号の各画素の色が、ディザが見える色かどうかを判定し、その画素ごとの判定結果とともに、その１フレームの画像信号を、ディザ付加回路５３に供給する。
【０１１６】
一方、時間ディザパターンROM５２では、ルックアップテーブルにおいて、色比較回路５１でディザが見えると判定された色に対応付けられている時間ディザパターンを、画素ごとに、ディザ付加回路５３に供給する。
【０１１７】
ディザ付加回路５３は、ステップＳ５１において、色比較回路５１からのディザが見える旨の判定がされた色について、色比較回路５１からの１フレームの画像信号に、時間ディザパターンを付加して、処理は、ステップＳ５２に進む。
【０１１８】
すなわち、ディザ付加回路５３は、色比較回路５１からの１フレームの画像信号の各画素の画素値を、時間ディザパターンROM５２から供給される時間ディザパターンが表す３つの画素値に分割し、その３つの画素値を、３枚のサブフレームの対応する画素それぞれの画素値とすることにより、１フレームの画像信号を３つのサブフレームの画像信号に分割する。そして、ディザ付加回路５３は、その３枚のサブフレームの画像信号のうちの１つの画像信号を、出力メモリ５４に、他の１つの画像信号を、出力メモリ５５に、残りの１つの画像信号を、出力メモリ５６に、それぞれ供給して記憶させる。なお、ディザが見えない色の画素については、例えば、その画素値の1/3を、サブフレームの画素値とすることができる。
【０１１９】
ステップＳ５２では、出力メモリ５４ないし５６は、ステップＳ５１で記憶したサブフレームの画像信号を、そのサブフレームを表示すべきタイミングで、モニタ２に出力する。
【０１２０】
次に、図１８は、色ズレ付加処理、空間ディザ付加処理、時間ディザ付加処理、画素間ピッチ再現処理、及びストライプ配列再現処理のすべてを行う画像処理部１の構成例を示している。
【０１２１】
図１８において、画像処理部１は、画像処理部６０，７０、及び８０から構成されている。
【０１２２】
画像処理部６０は、現フレームメモリ６１、前フレームメモリ６２、エッジ部切り出し回路６３、動き検出回路６４、及び色係数乗算回路６５から構成される。
【０１２３】
現フレームメモリ６１ないし色係数乗算回路６５は、図７の現フレームメモリ２１ないし色係数乗算回路２５とそれぞれ同様に構成され、したがって、画像処理部６０は、画像処理部１に供給される画像信号に対して、図７の場合と同様の色ズレ付加処理を施し、画像処理部７０に供給する。
【０１２４】
画像処理部７０は、色比較回路７１、時間／空間ディザパターンROM７２、ディザ付加回路７３、及び出力メモリ７４ないし７６から構成される。
【０１２５】
色比較回路７１は、画像処理部６０から供給される画像信号を対象として、図１３の色比較回路４２と、図１６の色比較回路５１それぞれと同様の処理を行う。
【０１２６】
時間／空間ディザパターンROM７２は、図１３の空間ディザパターンROM４３が記憶しているルックアップテーブルと、図１６の時間ディザパターンROM５２が記憶しているルックアップテーブルとそれぞれ同様のルックアップテーブルを記憶しており、そのルックアップテーブルに基づき、図１３の空間ディザパターンROM４３と、図１６の時間ディザパターンROM５２それぞれと同様の処理を行う。
【０１２７】
ディザ付加回路７３は、図１３のディザ付加回路４４と同様に、画像信号に、空間ディザパターンが表す空間的なディザを付加し、また、画像信号に時間ディザパターンを付加することにより、その画像信号を、３枚のサブフレームに分割し、それぞれを、出力メモリ７４ないし７６に供給する。
【０１２８】
出力メモリ７４ないし７６は、図１６の出力メモリ５４ないし５６と同様に、ディザ付加回路７３からのサブフレームの画像信号を記憶する。出力メモリ７４ないし７６に記憶されたサブフレームの画像信号は、画像処理部８０に供給される。
【０１２９】
以上のように構成される画像処理部７０では、画像処理部６０が出力する画像信号を対象として、図１３の場合と同様の空間ディザ付加処理と、図１６の場合と同様の時間ディザ付加処理が行われる。
【０１３０】
画像処理部８０は、拡大処理回路８１、ストライプ化回路８２、及び画素間輝度減回路８３から構成される。
【０１３１】
拡大処理回路８１は、画像処理部７０からの画像信号を対象として、図１０の拡大処理回路３１と同様の処理を行い、ストライプ化回路８２に供給する。
【０１３２】
ストライプ化回路８２は、拡大処理回路８１からの画像信号を対象として、図３の拡大ストライプ化回路１１が行う処理のうちの、ストライプ配列に分解する処理だけを行い、画素間輝度減回路８３に供給する。
【０１３３】
したがって、拡大処理回路８１及びストライプ化回路８２の両方で、図３の拡大ストライプ化回路１１が行うのと同様の処理が行われる。
【０１３４】
画素間輝度減回路８３は、ストライプ化回路８２からの画像信号を対象として、図１０の画素間輝度減回路３２が行うのと同様の処理を行い、その結果得られる画像信号を、モニタ２に出力する。
【０１３５】
したがって、画像処理部８０では、図１０の場合と同様のストライプ配列再現処理と、図１３の場合と同様の画素間ピッチ再現処理とが行われる。
【０１３６】
なお、画像処理部８０において、ストライプ配列再現処理、及び画素間ピッチ再現処理は、画像処理部７０から供給される３つのサブフレームの画像信号それぞれを対象として行われる。
【０１３７】
図１９は、図１８の画像処理部１の処理を説明するフローチャートである。
【０１３８】
ステップＳ６１において、時間方向を伴う処理が行われる。すなわち、ステップＳ６１では、画像処理部６０において、色ズレ付加処理が行われ、画像処理部７０において、空間ディザ付加処理、及び時間ディザ付加処理が行われる。
【０１３９】
そして、処理は、ステップＳ６１からステップＳ６２に進み、サイズ拡大を伴う処理が行われる。すなわち、ステップＳ６２では、画像処理部８０において、画素間ピッチ再現処理、及びストライプ配列再現処理が行われる。
【０１４０】
以上のように、画像処理部１では、色ズレ付加処理、空間ディザ付加処理、時間ディザ付加処理、画素間ピッチ再現処理、又はストライプ配列再現処理のうちの少なくとも１つを行うので、PDP以外の、例えば、LCD等のディスプレイで、PDPの見た目を再現する事が信号処理により可能となる。
【０１４１】
また、信号処理で行う事で、同一モニタの同一画面上でプラズマディスプレイの画質評価などを同時に行う事を可能とする。
【０１４２】
次に、上述した一連の処理は、専用のハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０１４３】
そこで、図２０は、上述した一連の処理を実行するプログラムがインストールされるコンピュータの一実施の形態の構成例を示している。
【０１４４】
プログラムは、コンピュータに内蔵されている記録媒体としてのハードディスク１０５やROM１０３に予め記録しておくことができる。
【０１４５】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体１１１に、一時的あるいは永続的に格納（記録）しておくことができる。このようなリムーバブル記録媒体１１１は、いわゆるパッケージソフトウエアとして提供することができる。
【０１４６】
なお、プログラムは、上述したようなリムーバブル記録媒体１１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部１０８で受信し、内蔵するハードディスク１０５にインストールすることができる。
【０１４７】
コンピュータは、CPU(Central Processing Unit)１０２を内蔵している。CPU１０２には、バス１０１を介して、入出力インタフェース１１０が接続されており、CPU１０２は、入出力インタフェース１１０を介して、ユーザによって、キーボードや、マウス、マイク等で構成される入力部１０７が操作等されることにより指令が入力されると、それにしたがって、ROM(Read Only Memory)１０３に格納されているプログラムを実行する。あるいは、また、CPU１０２は、ハードディスク１０５に格納されているプログラム、衛星若しくはネットワークから転送され、通信部１０８で受信されてハードディスク１０５にインストールされたプログラム、またはドライブ１０９に装着されたリムーバブル記録媒体１１１から読み出されてハードディスク１０５にインストールされたプログラムを、RAM(Random Access Memory)１０４にロードして実行する。これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、LCD(Liquid Crystal Display)やスピーカ等で構成される出力部１０６から出力、あるいは、通信部１０８から送信、さらには、ハードディスク１０５に記録等させる。
【０１４８】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０１４９】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【０１５０】
なお、本発明の実施の形態は、上述した実施の形態に限定されるものではなく、本発明の要旨を逸脱しない範囲において種々の変更が可能である。
【図面の簡単な説明】
【０１５１】
【図１】本発明を適用した画像信号処理装置の一実施の形態の構成例を示すブロック図である。
【図２】ストライプ配列再現処理を説明する図である。
【図３】ストライプ配列再現処理を行う画像処理部１の構成例を示すブロック図である。
【図４】ストライプ配列再現処理を説明するフローチャートである。
【図５】PDPに表示される画像に生じる色ズレを説明する図である。
【図６】色ズレ付加処理で画像信号と乗算される係数を示す図である。
【図７】色ズレ付加処理を行う画像処理部１の構成例を示すブロック図である。
【図８】色ズレ付加処理を説明するフローチャートである。
【図９】画素間ピッチ再現処理を説明する図である。
【図１０】画素間ピッチ再現処理を行う画像処理部１の構成例を示す図である。
【図１１】画素間ピッチ再現処理を説明するフローチャートである。
【図１２】空間ディザ付加処理を説明する図である。
【図１３】空間ディザ付加処理を行う画像処理部１の構成例を示すブロック図である。
【図１４】空間ディザパターンROM４３が記憶しているルックアップテーブルを示す図である。
【図１５】空間ディザ付加処理を説明するフローチャートである。
【図１６】時間ディザ付加処理を行う画像処理部１の構成例を示すブロック図である。
【図１７】時間ディザ付加処理を説明するフローチャートである。
【図１８】色ズレ付加処理、空間ディザ付加処理、時間ディザ付加処理、画素間ピッチ再現処理、及びストライプ配列再現処理のすべてを行う画像処理部１の構成例を示すブロック図である。
【図１９】画像処理部１の処理を説明するフローチャートである。
【図２０】本発明を適用したコンピュータの一実施の形態の構成例を示すブロック図である。
【符号の説明】
【０１５２】
１  画像処理部，  ２  モニタ，  １１  拡大ストライプ化回路，  １２  リサイズリサンプル回路，  ２１  現フレームメモリ，  ２２  前フレームメモリ，  ２３  エッジ部切り出し回路，  ２４  動き検出回路，  ２５  色係数乗算回路，  ３１  拡大処理回路，  ３２  画素間輝度減回路，  ４１  平坦部抽出回路，  ４２  色比較回路，  ４３  空間ディザパターンROM，  ４４  ディザ付加回路，  ５１  色比較回路，  ５２  時間ディザパターンROM，  ５３  ディザ付加回路，  ５４ないし５６  出力メモリ，  ６０  画像処理部，  ６１  現フレームメモリ，  ６２  前フレームメモリ，  ６３  エッジ部切り出し回路，  ６４  動き検出回路，  ６５  色係数乗算回路，  ７０  画像処理部，  ７１  色比較回路，  ７２  時間／空間ディザパターンROM，  ７３  ディザ付加回路，  ７４ないし７６  出力メモリ，  ８０  画像処理部，  ８１  拡大処理回路，  ８２  ストライプ化回路，  ８３  画素間輝度減回路，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2008209427.tif 000003
【図２】
2008209427.tif 000004
【図３】
2008209427.tif 000005
【図４】
2008209427.tif 000006
【図５】
2008209427.tif 000007
【図６】
2008209427.tif 000008
【図７】
2008209427.tif 000009
【図８】
2008209427.tif 000010
【図９】
2008209427.tif 000011
【図１０】
2008209427.tif 000012
【図１１】
2008209427.tif 000013
【図１２】
2008209427.tif 000014
【図１３】
2008209427.tif 000015
【図１４】
2008209427.tif 000016
【図１５】
2008209427.tif 000017
【図１６】
2008209427.tif 000018
【図１７】
2008209427.tif 000019
【図１８】
2008209427.tif 000020
【図１９】
2008209427.tif 000021
【図２０】
2008209427.tif 000022